(57)【要約】【課題】設備に設けられた設置手段の間隔が鋼製デッキの山頂面の間隔と相違しても、安価に当該設備を設置することができるデッキ下地屋根の設備設置用基礎とその施工方法とを提供する。【解決手段】鋼製デッキ１０の山頂面１３ａと山頂面１３ｂとに掛け渡されて固定された下部部材２０と、下部部材２０に下部断熱材３０を介して固定され、上面に設備５００を設置するための設備設置手段４５が設けられた上部部材４０と、下部断熱材３０を除く範囲で鋼製デッキ１０を覆う屋根断熱材９１と、屋根断熱材９１と上部部材４０との間を塞ぐ上部断熱材５０と、屋根断熱材９１および上部断熱材５０を覆う防水補強シート６０と、を有し、上部部材４０の上面は上部断熱材５０の上面よりも上方に突出し、上部部材４０の上部筒部４３の一部と防水シート９２の一部とに跨がって防水補強シート６０が設置されている。【選択図】図１
2015004244.tif 000002
【特許請求の範囲】
【請求項１】
構造物を形成する梁の内の一対の梁に長手方向の端部がそれぞれ設置され、曲げ加工された鋼板によって形成され、山頂面と、該山頂面に平行な谷底面と、前記山頂面と前記谷底面とを連結する傾斜面とを具備し、短手方向断面が波状である鋼製デッキと、
前記山頂面と該山頂面に隣接する前記山頂面とに掛け渡されて固定された下部部材と、
該下部部材に下部断熱材を介して固定され、設備を設置するための設備設置手段が天面に設けられた上部部材と、
前記下部断熱材を除いた範囲の前記鋼製デッキを覆う屋根断熱材と、
該屋根断熱材と前記上部部材との間を塞ぎ、前記屋根断熱材の上面に連なった上面を形成する上部断熱材と、
前記屋根断熱材および前記上部断熱材を覆う防水シートと、
を有し、
前記上部部材の天面は、前記上部断熱材の上面よりも上方に突出していることを特徴とするデッキ下地屋根の設備設置用基礎。
【請求項２】
構造物を形成する梁の内の一対の梁に長手方向の端部がそれぞれ設置され、曲げ加工された鋼板によって形成され、山頂面と、該山頂面に平行な谷底面と、前記山頂面と前記谷底面とを連結する傾斜面とを具備し、短手方向断面が波状である鋼製デッキと、
前記山頂面と該山頂面に隣接する前記山頂面とに掛け渡されて固定された下部部材と、
前記下部部材を除いた範囲の前記鋼製デッキおよび前記下部部材を覆う屋根断熱材と、
前記屋根断熱材を覆う防水シートと、
前記屋根断熱材および前記防水シートを貫通して前記下部部材に到達する中間部材設置穴と、
該中間部材設置穴に設置された中間部材と、
該中間部材に載置され、該中間部材を介して前記下部部材に固定され、設備を設置するための設備設置手段が天面に設けられた上部部材と、を有することを特徴とするデッキ下地屋根の設備設置用基礎。
【請求項３】
前記上部部材の一部と前記防水シートの一部とに跨がって防水補強シートが設置されていることを特徴とする請求項１または２記載のデッキ下地屋根の設備設置用基礎。
【請求項４】
前記下部部材は板材によって形成され、少なくとも前記谷底面の上方に位置する範囲の側縁に、前記谷底面の方向に折り曲げられた下部部材フランジが形成されていることを特徴とする請求項１〜３の何れか一項に記載のデッキ下地屋根の設備設置用基礎。
【請求項５】
構造物を形成する梁の内の一対の梁に長手方向の端部がそれぞれ設置され、曲げ加工された鋼板によって形成され、山頂面と、該山頂面に平行な谷底面と、前記山頂面と前記谷底面とを連結する傾斜面とを具備し、短手方向断面が波状である鋼製デッキに、前記山頂面と該山頂面に隣接する前記山頂面とに掛け渡した状態で、下部部材を固定する工程と、
設備を設置するための設備設置手段が設けられた上部部材を、下部断熱材を介して前記下部部材に固定する工程と、
前記下部断熱材を除いた範囲の前記鋼製デッキを覆う屋根断熱材を設置する工程と、
前記屋根断熱材の上面に連なった上面を形成する上部断熱材を、前記屋根断熱材と前記上部部材との間に設置する工程と、
前記屋根断熱材および前記上部断熱材を覆う防水シートを設置する工程と、
前記上部部材の前記上部断熱材の上面よりも上方に突出した範囲の一部と前記防水シートの一部とを覆う防水補強シートを設置する工程と、
前記防水補強シートの端部と前記上部部材の側面との間、および前記防水補強シートの端部と防水シートとの間を、溶剤溶着または熱溶着する工程と、
を有することを特徴とするデッキ下地屋根の設備設置用基礎の施工方法。
【請求項６】
構造物を形成する梁の内の一対の梁に長手方向の端部がそれぞれ設置され、曲げ加工された鋼板によって形成され、山頂面と、該山頂面に平行な谷底面と、前記山頂面と前記谷底面とを連結する傾斜面とを具備し、短手方向断面が波状である鋼製デッキに、前記山頂面と該山頂面に隣接する前記山頂面とに掛け渡された状態で、下部部材を固定する工程と、
前記下部部材を除いた範囲の前記鋼製デッキおよび前記下部部材を覆う屋根断熱材を設置する工程と、
前記屋根断熱材を覆う防水シートを設置する工程と、
前記防水シートおよび屋根断熱材の一部を撤去して前記下部部材に到達する下部断熱材設置穴を形成する工程と、
前記下部断熱材設置穴に下部断熱材を挿入して、該下部断熱材を前記下部部材に載置する工程と、
設備を設置するための設備設置手段が設けられた上部部材を、前記下部断熱材に載置して、前記下部部材に前記下部断熱材を介して固定する工程と、
前記屋根断熱材の上面に連なった上面を形成する上部断熱材を、前記上部部材と前記下部断熱材設置穴との間に設置する工程と、
前記上部部材の前記上部断熱材の上面よりも上方に突出した範囲の一部と前記防水シートの一部とを覆う防水補強シートを設置する工程と、
前記防水補強シートの端部と前記上部部材の側面との間、および前記防水補強シートの端部と防水シートとの間を、溶剤溶着または熱溶着する工程と、
を有することを特徴とするデッキ下地屋根の設備設置用基礎の施工方法。
【請求項７】
前記下部断熱材設置穴が断面円形であることを特徴とする請求項６記載のデッキ下地屋根の設備設置用基礎の施工方法。
【請求項８】
構造物を形成する梁の内の一対の梁に長手方向の端部がそれぞれ設置され、曲げ加工された鋼板によって形成され、山頂面と、該山頂面に平行な谷底面と、前記山頂面と前記谷底面とを連結する傾斜面とを具備し、短手方向断面が波状である鋼製デッキに、前記山頂面と該山頂面に隣接する前記山頂面とに掛け渡された状態で、下部部材を固定する工程と、
前記下部部材を除いた範囲の前記鋼製デッキおよび前記下部部材を覆う屋根断熱材を設置する工程と、
前記屋根断熱材を覆う防水シートを設置する工程と、
前記屋根断熱材および前記防水シートを貫通して、前記下部部材に到達する中間部材設置穴を形成する工程と、
中間部材設置穴に、中間部材を挿入する工程と、
設備を設置するための設備設置手段が設けられた上部部材を、前記中間部材に載置して、前記下部部材に前記中間部材を介して固定する工程と、
を有することを特徴とするデッキ下地屋根の設備設置用基礎の施工方法。
【発明の詳細な説明】
【技術分野】
【０００１】
本発明はデッキ下地屋根の設備設置用基礎およびその施工方法、特に、鋼製のデッキプレート（以下、単に「鋼製デッキ」と称す）によって形成されたデッキ下地屋根に、各種設備を設置するための基礎である、デッキ下地屋根の設備設置用基礎と、その施工方法とに関する。
【背景技術】
【０００２】
従来から、自然エネルギ（太陽光）を有効利用して発電をするためのソーラパネルユニットや水加熱をするための温水ユニット等の設備、あるいは、エアコンの室外ユニット等の設備を建造物の屋根に固定するために、設備設置用基礎が屋根に設置されている。
そして、コンクリート製の設備設置用基礎によって屋根面への荷重が増加するという問題を解消し、かつ防水性能を確保して、設備を安定して設置するための屋根の架台設置構造が開示されている（例えば、特許文献１参照）。
【先行技術文献】
【特許文献】
【０００３】
【特許文献１】特開２０１１−２０８３６１号公報（第５−６頁、図３Ａ）
【発明の概要】
【発明が解決しようとする課題】
【０００４】
特許文献１に開示された発明は、短手方向で波状（断面台形状の山頂面と断面台形状の谷底面とが交互に幅方向に連続している）のデッキプレート（以下「鋼製デッキ」と称す）と、該鋼製デッキの山頂面に設置された断熱材とから形成された屋根において、頭部と一対の脚部を具備する断面コ字状の受け金具と、受け金具の頭部に載置されたリップ溝形鋼である嵩上げ台と、嵩上げ台に設置された固定レールとを有している。
【０００５】
受け金具は、一対の脚部が断面材の上面から突き刺されて、一対の脚部の下端（先端）が鋼製デッキの山頂面の上面に押し当てられ、頭部は断熱材の上面と略同じレベルになっている。そして、受け金具の頭部と断熱材の上面とを覆う防水シートが設置され、受け金具の頭部に防水シートを介して嵩上げ台のリップ（フランジの下端）が位置した状態で、受け金具と嵩上げ台とは、受け金具の頭部と嵩上げ台のウエッブとを貫通するドリル付きタッピンねじによって、鋼製デッキの山頂面に防水シートを介して固定されている。さらに、嵩上げ台は防水覆い材で覆われ、防水覆い材の上面に載置された固定レールが、防水覆い材を介してドリル付きタッピンねじによって固定レールに固定されている。
【０００６】
すなわち、特許文献１に開示された発明では、ソーラパネルユニット等の設備が、嵩上げ台に固定された固定レールに設置されるものであって、嵩上げ台は鋼製デッキの山頂面の直上に配置され、ねじ部材によって鋼製デッキの山頂面に固定される構造になっている。このため、以下のような問題があった。
（あ）通常、ソーラパネルユニット等の設備は、複数カ所において複数の固定レールに設置されることから、設備に設けられた設置手段（例えば、設置用ボルトが貫通する設置用孔等）の間隔が、鋼製デッキの山頂面の間隔（短手方向の距離）と相違する場合、当該発明を使用することができない。
（い）また、設備に設けられた設置手段の位置が、例えば、谷底面の直上に位置する場合に、当該発明を使用しようとすると、複数の嵩上げ台に跨がって（鋼製デッキの複数の山頂面に跨がって）、短手方向に補助部材を追加して設置し、該補助部材に固定レールを固定する必要が生じる。このため、資材量および施工工数の増加によって施工コストや荷重の増加を招くと共に、ソーラパネルユニット等の設備が屋根から離れた高い位置に設置されることになり、風荷重の負担増加も招く。また、景観上好ましくない。
【０００７】
本発明は、前記問題を解決するものであって、設備に設けられた設置手段の間隔が、鋼製デッキの山頂面の間隔（短手方向の距離）と相違しても、施工コストの増加や風荷重の負担増加を防止して、且つ景観上も好ましい当該設備を設置することができるデッキ下地屋根の設備設置用基礎と、その施工方法とを提供することを目的とする。
【課題を解決するための手段】
【０００８】
（１）本発明に係るデッキ下地屋根の設備設置用基礎は、構造物を形成する梁の内の一対の梁に長手方向の端部がそれぞれ設置され、曲げ加工された鋼板によって形成され、山頂面と、該山頂面に平行な谷底面と、前記山頂面と前記谷底面とを連結する傾斜面とを具備し、短手方向断面が波状である鋼製デッキと、
前記山頂面と該山頂面に隣接する前記山頂面とに掛け渡されて固定された下部部材と、
該下部部材に下部断熱材を介して固定され、設備を設置するための設備設置手段が天面に設けられた上部部材と、
前記下部断熱材を除いた範囲の前記鋼製デッキを覆う屋根断熱材と、
該屋根断熱材と前記上部部材との間を塞ぎ、前記屋根断熱材の上面に連なった上面を形成する上部断熱材と、
前記屋根断熱材および前記上部断熱材を覆う防水シートと、
を有し、
前記上部部材の天面は、前記上部断熱材の上面よりも上方に突出していることを特徴とする。
【０００９】
（２）また、構造物を形成する梁の内の一対の梁に長手方向の端部がそれぞれ設置され、曲げ加工された鋼板によって形成され、山頂面と、該山頂面に平行な谷底面と、前記山頂面と前記谷底面とを連結する傾斜面とを具備し、短手方向断面が波状である鋼製デッキと、
前記山頂面と該山頂面に隣接する前記山頂面とに掛け渡されて固定された下部部材と、
前記下部部材を除いた範囲の前記鋼製デッキおよび前記下部部材を覆う屋根断熱材と、
前記屋根断熱材を覆う防水シートと、
前記屋根断熱材および前記防水シートを貫通して前記下部部材に到達する中間部材設置穴と、
該中間部材設置穴に設置された中間部材と、
該中間部材に載置され、該中間部材を介して前記下部部材に固定され、設備を設置するための設備設置手段が天面に設けられた上部部材と、を有することを特徴とする。
【００１０】
（３）なお、前記（１）または（２）において、前記上部部材の一部と前記防水シートの一部とに跨がって防水補強シートが設置されていることを特徴とする。
（４）なお、前記（１）〜（３）において、前記下部部材は板材によって形成され、少なくとも前記谷底面の上方に位置する範囲の側縁に、前記谷底面の方向に折り曲げられた下部部材フランジが形成されていることを特徴とする。
【００１１】
（５）さらに、本発明に係るデッキ下地屋根の設備設置用基礎の施工方法は、構造物を形成する梁の内の一対の梁に長手方向の端部がそれぞれ設置され、曲げ加工された鋼板によって形成され、山頂面と、該山頂面に平行な谷底面と、前記山頂面と前記谷底面とを連結する傾斜面とを具備し、短手方向断面が波状である鋼製デッキに、前記山頂面と該山頂面に隣接する前記山頂面とに掛け渡した状態で、下部部材を固定する工程と、
設備を設置するための設備設置手段が設けられた上部部材を、下部断熱材を介して前記下部部材に固定する工程と、
前記下部断熱材を除いた範囲の前記鋼製デッキを覆う屋根断熱材を設置する工程と、
前記屋根断熱材の上面に連なった上面を形成する上部断熱材を、前記屋根断熱材と前記上部部材との間に設置する工程と、
前記屋根断熱材および前記上部断熱材を覆う防水シートを設置する工程と、
前記上部部材の前記上部断熱材の上面よりも上方に突出した範囲の一部と前記防水シートの一部とを覆う防水補強シートを設置する工程と、
前記防水補強シートの端部と前記上部部材の側面との間、および前記防水補強シートの端部と防水シートとの間を、溶剤溶着または熱溶着する工程と、
を有することを特徴とする。
【００１２】
（６）また、構造物を形成する梁の内の一対の梁に長手方向の端部がそれぞれ設置され、曲げ加工された鋼板によって形成され、山頂面と、該山頂面に平行な谷底面と、前記山頂面と前記谷底面とを連結する傾斜面とを具備し、短手方向断面が波状である鋼製デッキに、前記山頂面と該山頂面に隣接する前記山頂面とに掛け渡された状態で、下部部材を固定する工程と、
前記下部部材を除いた範囲の前記鋼製デッキおよび前記下部部材を覆う屋根断熱材を設置する工程と、
前記屋根断熱材を覆う防水シートを設置する工程と、
前記防水シートおよび屋根断熱材の一部を撤去して前記下部部材に到達する下部断熱材設置穴を形成する工程と、
前記下部断熱材設置穴に下部断熱材を挿入して、該下部断熱材を前記下部部材に載置する工程と、
設備を設置するための設備設置手段が設けられた上部部材を、前記下部断熱材に載置して、前記下部部材に前記下部断熱材を介して固定する工程と、
前記屋根断熱材の上面に連なった上面を形成する上部断熱材を、前記上部部材と前記下部断熱材設置穴との間に設置する工程と、
前記上部部材の前記上部断熱材の上面よりも上方に突出した範囲の一部と前記防水シートの一部とを覆う防水補強シートを設置する工程と、
前記防水補強シートの端部と前記上部部材の側面との間、および前記防水補強シートの端部と防水シートとの間を、溶剤溶着または熱溶着する工程と、
を有することを特徴とする。
（７）なお、前記（６）において、前記下部断熱材設置穴が断面円形であることを特徴とする。
【００１３】
（８）また、構造物を形成する梁の内の一対の梁に長手方向の端部がそれぞれ設置され、曲げ加工された鋼板によって形成され、山頂面と、該山頂面に平行な谷底面と、前記山頂面と前記谷底面とを連結する傾斜面とを具備し、短手方向断面が波状である鋼製デッキに、前記山頂面と該山頂面に隣接する前記山頂面とに掛け渡された状態で、下部部材を固定する工程と、
前記下部部材を除いた範囲の前記鋼製デッキおよび前記下部部材を覆う屋根断熱材を設置する工程と、
前記屋根断熱材を覆う防水シートを設置する工程と、
前記屋根断熱材および前記防水シートを貫通して、前記下部部材に到達する中間部材設置穴を形成する工程と、
中間部材設置穴に、中間部材を挿入する工程と、
設備を設置するための設備設置手段が設けられた上部部材を、前記中間部材に載置して、前記下部部材に前記中間部材を介して固定する工程と、
を有することを特徴とする。
【発明の効果】
【００１４】
（ｉ）本発明に係るデッキ下地屋根の設備設置用基礎およびデッキ下地屋根の設備設置用基礎の施工方法は、鋼製デッキの山頂面と山頂面とに掛け渡されて固定された下部部材を有し、かかる下部部材に、設備を設置するための設備設置手段が設けられた上部部材が固定されることから、設備設置手段の位置が山頂面の直上に限定されることがない。
すなわち、設備に設けられた設置手段（例えば、基礎側設置用ボルトが貫通する設備側設置用孔等）の位置が、鋼製デッキの山頂面の直上から偏位している場合であっても、特別な補助部材を必要とすることなく、当該設備を設置することができる。
したがって、資材量および施工工数の増加を抑えることによる施工コストや荷重の増加を抑え、また、設備を屋根から離れた高い位置に設置することによる風荷重の増加や景観上の悪化を抑制して、様々な間隔（鋼製デッキ短手方向の距離）の設置手段を具備する設備（ソーラパネルユニット等）を設置することができる。
なお、本発明において鋼板とは、文字通りの鋼（炭素鋼）の板材に限定するものではなく、ステンレス鋼板等の合金鋼板や、鋳鋼製の板材およびメッキ鋼板、塗装鋼板等を含むものである。
【００１５】
（ｉｉ）また、下部部材は曲げ加工された鋼板によって形成され、下部部材フランジが形成されているから、曲げ剛性が高く、設置された設備を安定して支持することができる。また、下部部材フランジを、鋼製デッキの傾斜面に隙間を空けて平行になるような形状にしておけば、下部部材フランジが下部部材を山頂面に固定する際の、位置決め手段となるため、固定する際の施工が容易になる。
（ｉｉｉ）さらに、下部断熱材設置穴が断面円形であるから、下部断熱材設置穴の形成が容易で、施工がさらに容易になる。
【図面の簡単な説明】
【００１６】
【図１】本発明の実施の形態１に係るデッキ下地屋根の設備設置用基礎の正面視の断面図。
【図２】図１に示すデッキ下地屋根の設備設置用基礎の一部を透過して見た平面図。
【図３】図１に示すデッキ下地屋根の設備設置用基礎を構成する下部部材を説明する、（ａ）は平面図、（ｂ）は正面図、（ｃ）は側面視の中央部の断面図、（ｄ）は側面視の端部の断面図、（ｅ）は側面視の端部の一部を拡大して示す断面図。
【図４】図１に示すデッキ下地屋根の設備設置用基礎を構成する下部断熱材を説明する、（ａ）は平面図、（ｂ）は正面図、（ｃ）は側面視の断面図。
【図５】図１に示すデッキ下地屋根の設備設置用基礎を構成する上部部材を説明する、（ａ）は平面図、（ｂ）は正面図、（ｃ）は側面図、（ｄ）は一部を拡大して示す側面視の断面図。
【図６】図１に示すデッキ下地屋根の設備設置用基礎を構成する上部断熱材を説明する、（ａ）は平面図、（ｂ）は正面図、（ｃ）は側面視の断面図。
【図７】図１に示すデッキ下地屋根の設備設置用基礎の施工方法を説明する正面視の断面図で、（ａ）は上部部材を設置した状態、（ｂ）は屋根断熱材を設置した状態。
【図８】本発明の実施の形態２に係るデッキ下地屋根の設備設置用基礎の一部を透過して見た平面図。
【図９】図８に示すデッキ下地屋根の設備設置用基礎を構成するものを説明する、（ａ）は下部断熱材を示す平面図、（ｂ）は下部断熱材を示す側面視の断面図、（ｃ）は上部断熱材を示す平面図、（ｄ）は上部断熱材を示す側面視の断面図。
【図１０】図８に示すデッキ下地屋根の設備設置用基礎を構成する上部部材を示す、（ａ）は平面図、（ｂ）は正面図。
【図１１】図８に示すデッキ下地屋根の設備設置用基礎の施工方法を説明する正面視の断面図で、（ａ）は屋根断熱材を設置した状態、（ｂ）は設置された屋根断熱材に下部断熱材設置穴を形成した状態。
【図１２】本発明の実施の形態３に係るデッキ下地屋根の設備設置用基礎を説明する、（ａ）は正面視の断面図、（ｂ）は一部を拡大して示す正面視の断面図、（ｃ）はデッキ下地屋根の設備設置用基礎を構成する中間部材の変形例を示す正面視の断面図。
【図１３】図１２の（ａ）に示すデッキ下地屋根の設備設置用基礎の施工方法を説明する正面視の断面図で、（ａ）は防水シートを設置した状態、（ｂ）は中間部材設置穴を形成した状態。
【発明を実施するための形態】
【００１７】
［実施の形態１］
図１および図２は本発明の実施の形態１に係るデッキ下地屋根の設備設置用基礎を説明するものであって、図１は正面視の断面図、図２は一部を透過して見た平面図である。なお、各図は模式的に示すものであって、誇張して描いた部分がある。また、以降の各図（図３〜図１３）においても、図１と同じ部分にはこれと同じ符号を付し、一部の説明を省略する。また、以降の各図も模式的に示すものであって、誇張して描いた部分がある。
【００１８】
図１および図２において、デッキ下地屋根の設備設置用基礎（以下「設備設置用基礎」と称す）２００は、構造物（図示しない）を形成する梁９０の内の一対の梁に、長手方向の端部がそれぞれ設置されたデッキ下地屋根１００に取り付けられるものである。
なお、本発明において「設備」とは、太陽光発電をするためのソーラパネルユニットや水加熱をするための温水ユニット等の設備、あるいは、エアコンの室外ユニット等の設備であって、建造物の屋根に固定される各種設備を総称したものである。
【００１９】
（デッキ下地屋根）
デッキ下地屋根１００は、互いに側縁において連結された複数枚の鋼製デッキ１０と、鋼製デッキ１０を覆う屋根断熱材９１と、屋根断熱材９１に載置された防水シート９２と、を具備している。
なお、デッキ下地屋根１００を形成する鋼製デッキ１０、屋根断熱材９１および防水シート９２は、設備設置用基礎２００を形成する部材の一部になっている。
【００２０】
（鋼製デッキ）
鋼製デッキ１０は、曲げ加工された鋼板によって形成され、短手方向断面が波状を呈している。すなわち、山頂面１３ａ、１３ｂと、山頂面１３ａ、１３ｂに平行な谷底面１４ａ、１４ｂ、１４ｃと、山頂面１３ａと谷底面１４ａとを連結する傾斜面１５ａと、山頂面１３ａと谷底面１４ｂとを連結する傾斜面１５ｂと、山頂面１３ｂと谷底面１４ｂとを連結する傾斜面１５ｃと、山頂面１３ｂと谷底面１４ｃとを連結する傾斜面１５ｄと、を具備している。
【００２１】
そして、谷底面１４ａの側縁（短手方向の端で、長手方向に沿っている）には、鋼製デッキ１０同士を連結するための連結部１６ａが形成され、谷底面１４ｃの側縁には、鋼製デッキ１０同士を連結するための連結部１６ｂが形成されている。
すなわち、一方の鋼製デッキ１０の連結部１６ａと他方の鋼製デッキ１０の連結部１６ｂとが互いに係合することによって、一方の鋼製デッキ１０の連結部１６ａと他方の鋼製デッキ１０とが、短手方向に連結される。また、一方の鋼製デッキ１０の傾斜面１５ａおよび谷底面１４ａと、他方の鋼製デッキ１０の傾斜面１５ｄおよび谷底面１４ｃとによって、上方が広くなった空間（溝）が形成される。
また傾斜面１５ａ、１５ｂ、１５ｃ、１５ｄには、それぞれエンボス１９ａ、１９ｂ、１９ｃ、１９ｄが形成されている。
【００２２】
また、連結部１６ａは下方が開口した略Ｊ字状であり、連結部１６ｂは上方が開口した略Ｊ字状であるから、両者を係合して連結した際、当該連結部から、鋼製デッキ１０上にコンクリートを打設した場合であっても打設されるコンクリート（図示しない）が流れ出すことがない。なお、連結部１６ａを上方が開口した略Ｊ字状にして、連結部１６ｂを下方が開口した略Ｊ字状にしてもよい。
なお、鋼製デッキ１０の形状は、図に示した実施例に限定されるものではなく、山形状や谷形状、若しくはそれらのプロポーション、およびエンボス１９ａ〜１９ｄの形状・個数（形成しないを含む）等は、適宜選択できるものである。
【００２３】
（屋根断熱材、防水シート）
屋根断熱材９１は、板状であって、例えば、フェノールフォーム等の、空気を含む軽量材（発泡材料等）によって形成されている。
また、防水シート９２は、合成樹脂系シートやアスファルト系シート等であって、その材質や厚さ等を限定するものではないが、所定の強度や防滑性及び環境対応性（日射や雨滴に暴露された際に、劣化し難い性質や遮熱性など）を有している。
【００２４】
（設備設置用基礎）
設備設置用基礎２００は、構造物（図示しない）の梁９０の両端が固定された鋼製デッキ１０と、鋼製デッキ１０の山頂面１３ａと山頂面１３ｂとに掛け渡されて固定された下部部材２０と、下部部材２０に下部断熱材３０を介して固定され、上面にソーラパネルユニット等の設備（図示しない）を設置するための設備設置手段（以下「基礎側設置用ネジ」と称す）４５が設けられた上部部材４０と、屋根断熱材９１と上部部材４０との間を塞ぎ、屋根断熱材９１の上面に連なった上面を形成する上部断熱材５０と、上部部材４０の上部断熱材５０の上面よりも上方に突出した上部筒部４３の一部と防水シート９２の一部とに跨がって設置された防水補強シート６０と、を有している。
このとき、上部部材４０は、ソーラパネルユニット等の設備５００に設けられた設置手段（例えば、設置用ボルトが貫通する設置用孔等、以下「設備側設置用孔」と称す）５４５の間隔に合わせた位置に固定されるものである。以下、各部材について、それぞれ図面を参照して説明する。なお、設備５００とは、ソーラパネルユニット等その物である場合と、ソーラパネルユニット等が直接載置され、ソーラパネルユニット等と上部部材４０との間に配置される部材（例えば、レールやチャンネル等）である場合がある。
【００２５】
（下部部材）
図３は、図１に示すデッキ下地屋根の設備設置用基礎を構成する下部部材を説明するものであって、図３の（ａ）は平面図、図３の（ｂ）は正面図、図３の（ｃ）は側面視の中央部（Ａ−Ａ断面）の断面図、図３の（ｄ）は側面視の端部（Ｂ−Ｂ断面）の断面図、図３の（ｅ）は側面視の端部（Ｂ−Ｂ断面）の一部を拡大して示す断面図である。
図３において、下部部材２０は、板材から形成されたものであって、平面部２１と、平面部２１の端寄りの範囲に形成された下部部材孔２２と、平面部２１の中央寄りの範囲の両方の側縁に形成された下部部材フランジ２３とを具備している。
下部部材孔２２は山頂面１３ａ、１３ｂの直上に位置し、下部部材孔２２および山頂面１３ａ、１３ｂを貫通するタッピンネジ７２によって、下部部材２０は鋼製デッキ１０に固定される。
また、下部部材フランジ２３は曲げ加工されたものであって、鋼製デッキ１０の傾斜面１５ｂ、１５ｃおよび谷底面１４ｂの直上に位置し、平面部２１の剛性向上に寄与している。
なお、下部部材フランジ２３は台形状であって、フランジ斜辺２４が鋼製デッキ１０の傾斜面１５ｂ、１５ｃに隙間を空けて対向している（図１参照）。したがって、下部部材フランジ２３が下部部材２０を山頂面１３ａ、１３ｂに固定する際の、位置決め手段となるため、固定する際の施工を容易にしている。
【００２６】
（下部断熱材）
図４は、図１に示すデッキ下地屋根の設備設置用基礎を構成する下部断熱材を説明するものであって、図４の（ａ）は平面図、図４の（ｂ）は正面図、図４の（ｃ）は側面視の断面図である。
図４において、下部断熱材３０はＡＢＳ樹脂製の矩形状の板材であって、下部断熱材孔３１が形成されている。すなわち、下部断熱材３０は下部部材２０（平面部２１）に載置され、上部部材４０と一緒に、タッピンネジ７４によって下部部材２０に固定される。
なお、タッピンネジ７３の一部は、鋼製デッキ１０の山頂面１３ａ、１３ｂをも貫通する場合がある。また、タッピンネジ７３による固定を省略してもよい。また、本発明は、下部断熱材３０をＡＢＳ樹脂製に限定するものではなく、要求された断熱性能と荷重支持性能があるものであれば、何れであってもよい。また、形状も円盤状やその他の形状であってもよい。
【００２７】
（上部部材）
図５は、図１に示すデッキ下地屋根の設備設置用基礎を構成する上部部材を説明するものであって、図５の（ａ）は平面図、図５の（ｂ）は正面図、図５の（ｃ）は側面図、図５の（ｄ）は一部を拡大して示す側面視の断面図である。
図５において、上部部材４０は、上部部材孔４２が形成された上部底板４１と、上部底板４１に下端が固定された上部筒部４３と、上部筒部４３の上端に固定された上部天板４４と、上部天板４４の上面に固定された、設備を設置するための設備設置手段（例えば、ネジ棒またはボルト、以下「上部部材側設置ネジ」と称す）４５と、を具備している。なお、上部底板４１と下部断熱材３０とは同じ形状になっているが、上部底板４１を支持することができる限り、両者の形状が相違してもよい。
すなわち、下部断熱材孔３１および上部部材孔４２を貫通するタッピンネジ７４によって、上部部材４０は下部断熱材３０を介して下部部材２０に固定される。なお、タッピンネジ７３の一部は、鋼製デッキ１０の山頂面１３ａ、１３ｂをも貫通する場合がある。
なお、本発明は、上部部材４０の形状を図示するものに限定するものではなく、例えば、上部底板４１を円盤または円環にしてもよい。
【００２８】
（上部断熱材）
図６は、図１に示すデッキ下地屋根の設備設置用基礎を構成する上部断熱材を説明するものであって、図６の（ａ）は平面図、図６の（ｂ）は正面図、図６の（ｃ）は側面視の断面図である。
図６において、上部断熱材５０は、屋根断熱材９１と同様に、板状であって、例えば、フェノールフォーム等の、空気を含む軽量材（発泡材料等）によって形成されている。そして、上部部材４０の上部筒部４３が貫通する上部断熱材孔５１が形成されている。なお、上部筒部４３は上部断熱材孔５１の内周に密着しているが、僅かの隙間があってもよい。
【００２９】
（防水補強シート）
図１において、防水補強シート６０（図示しない）は、防水シート９２と同様に、合成樹脂系シートやアスファルト系シート等であって、その材質や厚さ等を限定するものではないが、所定の強度や防滑性及び環境対応性（日射や雨滴に暴露された際に、劣化し難い性質や遮熱性など）を有している。そして、防水補強シート６０の端部６１と上部部材４０の上部筒部４３との間、および防水補強シート６０の端部６２と防水シート９２との間は、溶剤溶着または熱溶着されている。
【００３０】
（施工方法）
図７は、図１に示すデッキ下地屋根の設備設置用基礎の施工方法を説明する正面視の断面図であって、図７の（ａ）は上部部材を設置した状態、図７の（ｂ）は屋根断熱材を設置した状態である。
設備設置用基礎２００の施工方法は、構造物を形成する梁９０の内の一対の梁に長手方向の端部がそれぞれ設置された鋼製デッキ１０に、山頂面１３ａと山頂面１３ｂとに跨がって下部部材２０をタッピンネジ７２によって固定する工程と、
下部断熱材３０を下部部材２０に載置する工程と、
上部部材４０を下部断熱材３０を介して下部部材２０に、タッピンネジ７４によって、固定する工程とを有する（図７の（ａ）参照）。
このとき、設置を予定する設備５００の設備側設置用孔５４５の位置が、上部部材４０の上部天板４４に設けられた基礎側設置用ネジ４５の位置と一致するように、下部部材２０は配置され、下部断熱材３０の下部断熱材孔３１と上部部材４０の上部部材孔４２とを貫通するタッピンネジ７４が、下部部材２０の平面部２１を貫通して、平面部２１に螺合している。なお、タッピンネジ７４は下部部材２０の平面部２１を貫通すると共に、鋼製デッキ１０の山頂面１３ａ、１３ｂあるいは傾斜面１５ｂ、１５ｃを貫通して、これに螺合する場合がある。
【００３１】
次に、鋼製デッキ１０の山頂面１３ａ、１３ｂの下部部材２０を除く範囲および下部部材２０の下部断熱材３０を除く範囲で、鋼製デッキ１０を覆う屋根断熱材９１を設置する工程を有する（図７の（ｂ）参照）。すなわち、屋根断熱材９１には、下部断熱材３０の位置に対応して、上部部材４０の上部底板４１および下部断熱材３０が侵入自在な下部断熱材設置穴９３が、形成されている。
なお、下部断熱材３０の大きさ（平面視の広がり）が上部底板４１の大きさ（平面視の広がり）よりも大きいときは、下部断熱材設置穴９３には下部断熱材３０が侵入する必要があるから、屋根断熱材９１は下部断熱材３０を除く範囲の鋼製デッキ１０を覆うことになる。一方、上部底板４１の大きさ（平面視の広がり）が下部断熱材３０の大きさ（平面視の広がり）よりも大きいときは、下部断熱材設置穴９３には上部部材４０（上部底板４１）が侵入する必要があるから、屋根断熱材９１は上部部材４０を除く範囲の鋼製デッキ１０を覆うことになる。
【００３２】
そして、屋根断熱材９１の上面に連なった上面を形成する上部断熱材５０を、屋根断熱材９１と上部部材４０の上部筒部４３との間に設置する工程と、
屋根断熱材９１の上面および上部断熱材５０の上面を覆う防水シート９２を設置する工程と、
上部部材４０の上部筒部４３の上部断熱材５０の上面よりも上方に突出した範囲の一部と防水シート９２の一部とを覆う防水補強シート６０を設置する工程と、
防水補強シート６０の端部６１と上部部材４０の上部筒部４３との間、および防水補強シート６０の端部６２と防水シート９２との間を、溶剤溶着または熱溶着する工程と、を有する。
【００３３】
（作用効果）
以上のように、設備設置用基礎２００は、鋼製デッキ１０の山頂面１３ａと山頂面１３ｂとに掛け渡されて固定された下部部材２０を有し、上部部材側設置ネジ（設備設置手段）４５が設けられた上部部材４０が下部断熱材３０を介して下部部材２０に固定されることから、基礎側設置用ネジ４５の位置が山頂面１３ａまたは山頂面１３ｂの直上に限定されることがない。
すなわち、設備５００に設けられた設備側設置用孔５４５の位置が、鋼製デッキ１０の山頂面１３ａ、１３ｂの直上から偏位している場合であっても、特別の補助部材を必要とすることなく、当該設備を設置することができる。
したがって、資材量および施工工数の増加を抑えることによる施工コストや荷重の増加を抑え、また、設備を屋根から離れた高い位置に設置することによる風荷重の増加や景観の悪化を抑制し、様々な間隔の設置手段を具備する設備（ソーラパネルユニット等）を設置することができる。
【００３４】
また、下部部材２０は曲げ加工した鋼板によって形成され、下部部材フランジ２３が形成されているから、安価で曲げ剛性が高く、設置された設備を安定して支持することできる。
さらに、下部部材フランジ２３を台形状にして、フランジ斜辺２４が鋼製デッキ１０の傾斜面１５ｂ、１５ｃに隙間を空けて平行になるような形状にしておけば、下部部材フランジ２３は、下部部材２０を山頂面１３ａ、１３ｂに固定する際の、位置決め手段となるため、固定作業が容易になる。
なお、以上は、同一の鋼製デッキ１０に形成された山頂面１３ａと山頂面１３ｂとに跨がって下部部材２０を固定しているが、本発明はこれに限定するものではなく、互いに隣接して配置された一対の鋼製デッキ１０において、一方の鋼製デッキ１０の山頂面１３ａと他方の鋼製デッキ１０の山頂面１３ｂとに跨がって下部部材２０を固定してもよい。
また、鋼製デッキ１０の山頂面を３つ以上に跨って下部部材２０を固定してもよい。即ち、下部部材２０の長さを延長して、下部部材フランジ２３を２つ以上設けるものである。
さらに、上部部材４０の上部筒部４３は円筒形であるが、これに限定されるものではなく、角筒形、Ｈ形鋼あるいはＣ形鋼等の形状の材料であって、上部の荷重を伝達できるものであればよい。
また、以上は、上部部材に設けられた設備設置手段を基礎側設置用ネジ４５とし、一方、ソーラパネルユニット等の設備５００に設けられた設置手段を設備側設置用孔５４５（ナット付き）としているが、本発明はこれ限定するものではなく、前者が設置用孔（ナット付き）で、後者がネジであってもよく、さらに、ネジ／ナットとは相違する設置（結合）機構であってもよい。例えば、タッピンネジで結合してもよい。
【００３５】
［実施の形態２］
図８〜図１０は本発明の実施の形態２に係るデッキ下地屋根の設備設置用基礎を説明するものであって、図８は一部を透過して見た平面図、図９の（ａ）はデッキ下地屋根の設備設置用基礎を構成する下部断熱材を示す平面図、図９の（ｂ）はデッキ下地屋根の設備設置用基礎を構成する下部断熱材を示す側面視の断面図、図９の（ｃ）はデッキ下地屋根の設備設置用基礎を構成する上部断熱材を示す平面図、図９の（ｄ）はデッキ下地屋根の設備設置用基礎を構成する上部断熱材を示す側面視の断面図、図１０の（ａ）はデッキ下地屋根の設備設置用基礎を構成する上部部材を示す平面図、図１０の（ｂ）はデッキ下地屋根の設備設置用基礎を構成する上部部材を示す正面図である。なお、実施の形態１と同じ部分または相当する部分には同じ符号を付し、一部の説明を省略する。
【００３６】
図８〜図１０において、デッキ下地屋根の設備設置用基礎（以下「設備設置用基礎」と称す）３００は、設備設置用基礎２００（実施の形態１）における下部断熱材３０及び上部断熱材５０を円環にし、また、上部部材４０の上部底板４１を円盤にしたものであって、これを除く構成は設備設置用基礎２００に同じである。
【００３７】
（施工方法）
図１１は、図８に示すデッキ下地屋根の設備設置用基礎の施工方法を説明する正面視の断面図であって、図１１の（ａ）は屋根断熱材を設置した状態、図１１の（ｂ）は設置された屋根断熱材に下部断熱材設置穴を形成した状態である。
設備設置用基礎３００の施工方法は、構造物（図示しない）を形成する梁の内の一対の梁９０に長手方向の端部がそれぞれ設置された鋼製デッキ１０に、山頂面１３ａと山頂面１３ｂとに跨がって下部部材２０をタッピンネジ７２によって固定する工程と、
鋼製デッキ１０の山頂面１３ａ、１３ｂの下部部材２０を除く範囲および下部部材２０の上面に屋根断熱材９１を設置して、実質的に鋼製デッキ１０の全面を覆う工程と（図１１の（ａ）参照）とを有する。
【００３８】
次に、屋根断熱材９１の一部を撤去して下部部材に到達する下部断熱材設置穴９３を形成する工程（図１１の（ｂ）参照）と、下部断熱材設置穴９３に下部断熱材３０を挿入して、下部断熱材３０を下部部材２０に載置する工程と、
ソーラパネルユニット等の設備に設けられた設置手段（例えば、設置用ボルトが貫通する設置用孔等）の間隔に合わせた基礎側設置用ネジ４５が設けられた上部部材４０を載置して、上部部材４０を下部断熱材３０を介して下部部材２０にタッピンネジ７４によって固定する工程と、を有する。
すなわち、下部断熱材設置穴９３は、下部断熱材３０を挿入することができる大きさを具備している。
【００３９】
さらに、屋根断熱材９１の上面に連なった上面を形成する上部断熱材５０を、上部部材４０の上部筒部４３と下部断熱材設置穴９３の内周面との間に設置する工程と、
屋根断熱材９１および上部断熱材５０を覆う防水シート９２を設置する工程と、
上部部材４０の上部筒部４３の上部断熱材５０の上面よりも上方に突出した範囲の一部と防水シート９２の一部とを覆う防水補強シート６０を設置する工程と、
防水補強シート６０の端部６１と上部部材４０の上部筒部４３との間、および防水補強シート６０の端部６２と防水シート９２との間を、溶剤溶着または熱溶着する工程と、を有する。
【００４０】
（作用効果）
以上のように、設備設置用基礎３００は、設備設置用基礎２００と同じ作用効果を奏した上で、鋼製デッキ１０の全面に、屋根断熱材９１が設置された後、断面円形の下部断熱材設置穴９３を形成し、下部断熱材設置穴９３に、下部断熱材３０、上部部材４０および上部断熱材５０を順番に設置していることから、以下の作用効果が得られる。
すなわち、屋根断熱材９１の設置や、下部断熱材設置穴９３の形成が容易であるため、施工コストを低減することができる。しかも、上部部材４０および上部断熱材５０も単純形状であることから、これらの製造コスト（部材コスト）を低減することができる。
なお、以上は、屋根断熱材９１および上部断熱材５０を覆う防水シート９２を設置しているが、本発明はこれに限定するものではなく、屋根断熱材９１の上に防水シート９２を設置した後、下部断熱材設置穴９３を形成して、上部断熱材５０は防水シート９２によって覆われないようにしてもよい。なお、上部部材４０の上部底板４１が円形であるため、下部断熱材設置穴９３は水平断面で円形となり、例えばホールソーで簡単に現場での穴あけ加工が容易にできる。
【００４１】
［実施の形態３］
図１２は本発明の実施の形態３に係るデッキ下地屋根の設備設置用基礎を説明するものであって、図１２の（ａ）は正面視の断面図、図１２の（ｂ）は一部を拡大して示す正面視の断面図、図１２の（ｃ）はデッキ下地屋根の設備設置用基礎を構成する中間部材の変形例を示す正面視の断面図である。なお、実施の形態１と同じ部分または相当する部分には同じ符号を付し、一部の説明を省略する。
【００４２】
（設備設置用基礎）
図１２の（ａ）において、デッキ下地屋根の設備設置用基礎（以下「設備設置用基礎」と称す）４００は、構造物（図示しない）の梁９０に両端が固定された鋼製デッキ１０と、鋼製デッキ１０の山頂面１３ａと山頂面１３ｂとに前記山頂面とに掛け渡されて固定された下部部材２０と、下部部材２０に管状の中間部材８０を介して固定され、基礎側設置用ネジ４５が設けられた上部部材４０と、を具備している。
すなわち、中間部材８０は、鋼製デッキ１０の全面を覆うように設置された屋根断熱材９１および防水シート９２に形成されているから、上部部材４０の全体が防水シート９２の上において視認される。そして、上部部材４０の上部筒部４３と上部底板４１とに跨がって防水補強シート６０が設置されている。
このとき、上部部材４０は、ソーラパネルユニット等の設備５００に設けられた設備側設置用孔５４５の間隔に合わせた位置に固定されるものである。
【００４３】
（中間部材）
図１２の（ｂ）において、中間部材８０はパイプ（円形鋼管）であって、屋根断熱材９１に形成された中間部材設置穴９４に挿入されている。そして、中間部材８０の管内をタッピンネジ７４が貫通自在（中間部材８０の内径はタッピンネジ７４の外径よりも僅かに大きい）で、中間部材８０の長さ（高さ）は、屋根断熱材９１の厚さを略同じである。
なお、図１２の（ｂ）では、各部材の配置を誇張して示すために、それぞれの間に隙間を描いているが、それぞれ当接してもよい。
図１２の（ｃ）において、中間部材８１は、中間管部８２の両端に中間断熱材８３が設置されている。中間断熱材８３の中央には中間断熱材孔８４が形成され、タッピンネジ７４の貫通を容易にしている。
したがって、中間部材８０は断面積が小さいため、上部部材４０から下部部材２０への熱伝達量（設備５００から梁９０への熱伝達量に対応する）は少ないものの、かかる熱伝達量をより小さく抑えたい場合には、中間部材８１を用いることができる。
【００４４】
（施工方法）
図１３は、図１２の（ａ）に示すデッキ下地屋根の設備設置用基礎の施工方法を説明する正面視の断面図であって、図１３の（ａ）は防水シートを設置した状態、図１３の（ｂ）は中間部材設置穴を形成した状態である。
設備設置用基礎４００の施工方法は、構造物を形成する梁９０の内の一対の梁に長手方向の端部がそれぞれ設置された鋼製デッキ１０に、山頂面１３ａと山頂面１３ｂとに跨がって（掛け渡して）下部部材２０をタッピンネジ７２によって固定する工程と、
鋼製デッキ１０の山頂面１３ａ、１３ｂの下部部材２０を除く範囲および下部部材２０の上面に屋根断熱材９１を設置して、実質的に鋼製デッキ１０の全面を覆う工程と、屋根断熱材９１を覆う防水シート９２を設置する工程と、屋根断熱材９１の上面に防水シート９２を設置する工程（図１３の（ａ）参照）と、有する。
【００４５】
次に、設置を予定する設備５００の設備側設置用孔５４５の位置が、上部部材４０の基礎側設置用ネジ４５の位置と一致するように、上部部材４０を防水シート９２に載置した際、上部部材４０の上部部材孔４２の位置に、屋根断熱材９１および防水シート９２を貫通して、下部部材２０に到達する中間部材設置穴９４を形成する工程（図１３の（ｂ）参照）と、
中間部材設置穴９４に中間部材８０を挿入する工程と、
上部部材４０を中間部材８０に載置して、上部部材孔４２および中間部材８０の管内を貫通するタッピンネジ７４によって、上部部材４０を中間部材８０を介して下部部材２０に固定する工程と、
上部部材４０の上部筒部４３の一部と防水シート９２に跨がって防水補強シート６０を設置する工程と、
防水補強シート６０の端部６１と上部部材４０の上部筒部４３との間、および防水補強シート６０の端部６２と防水シート９２との間を、溶剤溶着または熱溶着する工程と、を有する。
【００４６】
（作用効果）
以上のように、設備設置用基礎４００は、防水シート９２が設置された後、中間部材設置穴９４を形成し、中間部材設置穴９４に管状の中間部材を挿入し、上部部材４０を下部部材２０に中間部材８０を介して固定されたものであるから、設備設置用基礎２００と同じ作用効果（設備５００の設備側設置用孔５４５の様々な設置位置に対応することができる等）を奏すると共に、以下の作用効果が得られる。
中間部材設置穴９４が小径であるため、作業が容易である。また、中間部材設置穴９４に断熱材を設置する必要がない（設備設置用基礎２００および設備設置用基礎３００では上部断熱材５０が必要であった）ため、作業が容易であると共に、資材コストが安価になる。
なお、以上は、複数のタッピンネジ７４はそれぞれ中間部材８０の管内を貫通しているが、本発明はこれに限定するものではなく、例えば、１または複数の中間部材８０に上部部材４０を載置して、複数のタッピンネジ７４を、中間部材８０の管内を貫通しない状態で、防水シート９２および屋根断熱材９１に挿入してもよい。
【産業上の利用可能性】
【００４７】
本発明は以上の構成であるから、設備を設置するために設置手段の位置を、鋼製デッキの山頂面の位置に拘束されないで、適宜設定することができるから、様々な大きさの設備を、様々な大きさの鋼製デッキからなるデッキ下地屋根に設置するデッキ下地屋根の設備設置用基礎として広く利用することができる。
【符号の説明】
【００４８】
１０：鋼製デッキ
１３ａ：山頂面
１３ｂ：山頂面
１４ａ：谷底面
１４ｂ：谷底面
１４ｃ：谷底面
１５ａ：傾斜面
１５ｂ：傾斜面
１５ｃ：傾斜面
１５ｄ：傾斜面
１６ａ：連結部
１６ｂ：連結部
１９ａ：エンボス
１９ｂ：エンボス
１９ｃ：エンボス
１９ｄ：エンボス
２０：下部部材
２１：平面部
２２：下部部材孔
２３：下部部材フランジ
２４：フランジ斜辺
３０：下部断熱材
３１：下部断熱材孔
４０：上部部材
４１：上部底板
４２：上部部材孔
４３：上部筒部
４４：上部天板
４５：設備設置手段（基礎側設置用ネジ）
５０：上部断熱材
５１：上部断熱材孔
６０：防水補強シート
６１：端部
６２：端部
７２：タッピンネジ
７３：タッピンネジ
７４：タッピンネジ
８０：中間部材
８１：中間部材
８２：中間管部
８３：中間断熱材
８４：中間断熱材孔
９０：梁
９１：屋根断熱材
９２：防水シート
９３：下部断熱材設置穴
９４：中間部材設置穴
１００：デッキ下地屋根
２００：設備設置用基礎（実施の形態１）
３００：設備設置用基礎（実施の形態２）
４００：設備設置用基礎（実施の形態３）
５００：設備
５４５：設備側設置用孔
【図１】
2015004244.tif 000003
【図２】
2015004244.tif 000004
【図３】
2015004244.tif 000005
【図４】
2015004244.tif 000006
【図５】
2015004244.tif 000007
【図６】
2015004244.tif 000008
【図７】
2015004244.tif 000009
【図８】
2015004244.tif 000010
【図９】
2015004244.tif 000011
【図１０】
2015004244.tif 000012
【図１１】
2015004244.tif 000013
【図１２】
2015004244.tif 000014
【図１３】
2015004244.tif 000015